(57)【要約】【課題】  目詰まりを起こさず、作業時間が短く、かつ、外径の異なる正極端子と負極端子の双方に対応することのできるバッテリ装置の清浄具を提供する。【解決手段】  バッテリ端子３が挿入される筒体１１の内周面に、バッテリ端子３の外周面に摺接する複数の刃物１２を軸方向に沿ってテーパ状に設けて構成したバッテリ端子清浄具１０を備える。また、ケーブル端子５に挿入される中心軸２１を中心として、ケーブル端子５の内周面に摺接する複数のカッタ２２を、軸方向に沿ってテーパ状に設けて構成したケーブル端子清浄具２０を備える。この清浄具によって、車両等に搭載されるバッテリ２とそれに連結されるケーブル４とで構成されるバッテリ装置１における、バッテリ端子３のテーパ状の外周面と、当該バッテリ端子３に嵌合するケーブル端子５の同一テーパ状の内周面に付着した錆や汚れを除去する。【選択図】  図１
2010005538.tif 000002
【特許請求の範囲】
【請求項１】
バッテリ端子のテーパ状の外周面に付着した錆や汚れを除去するためのバッテリ端子清浄具であって、
筒体の内周面に、前記バッテリ端子の外周面に摺接する複数の刃物を、刃先が軸方向に沿ってテーパ状になるよう設けて構成されたバッテリ端子清浄具。
【請求項２】
少なくとも１種類のバッテリの正極端子と負極端子とにそれぞれ対応した内径を有する正極清浄部と負極清浄部とを一体的に形成したことを特徴とする請求項１に記載のバッテリ端子清浄具。
【請求項３】
２種類のバッテリの正極端子と負極端子とにそれぞれ対応した内径を有する２つの正極清浄部と２つの負極清浄部を一体的に十字状に形成したことを特徴とする請求項２に記載のバッテリ端子清浄具。
【請求項４】
前記刃物を、前記筒体の周方向に間隙を設けて３枚〜６枚設けたことを特徴とする請求項１〜請求項３のいずれか１に記載のバッテリ端子清浄具。
【請求項５】
バッテリ端子のテーパ状の外周面に付着した錆や汚れを除去するためのバッテリ端子清浄具と、
前記バッテリ端子に嵌合するケーブル端子のテーパ状の内周面に付着した錆や汚れを除去するためのケーブル端子清浄具と、を備えたバッテリ装置の端子清浄装置において、
前記ケーブル端子の清浄具が、その中心軸の外周に、前記ケーブル端子の内周面に摺接する複数のカッタを、刃先が軸方向に沿ってテーパ状に設けて構成され、
前記バッテリ端子清浄具が、請求項１から請求項４のいずれか１に記載のバッテリ端子清浄具で構成され、
前記バッテリ端子清浄具と、前記ケーブル端子清浄具とが、両者の軸方向が直交するように一体的に、又は着脱自在に連結して構成されていることを特徴とするバッテリ装置の端子清浄装置。
【請求項６】
前記ケーブル端子清浄具が、少なくとも１種類のバッテリの正極端子と負極端子とに対応した両ケーブル端子の内周面に摺接するに十分な軸方向長さを有することを特徴とする請求項５に記載のバッテリ装置の端子清浄装置。
【請求項７】
前記ケーブル端子清浄具の複数のカッタが、周方向に間隙を設けた３枚から６枚の螺旋状に形成されたカッタであることを特徴とする請求項５に記載のバッテリ装置の端子清浄装置。
【請求項８】
前記バッテリ端子清浄具とケーブル端子清浄具とを着脱自在に連結する構成が、両者の螺合又は嵌合のいずれかであることを特徴とする請求項５から請求項７のいずれか１に記載のバッテリ装置の端子清浄装置
【発明の詳細な説明】
【技術分野】
【０００１】
本発明は、バッテリのバッテリ端子外周面や、バッテリ端子に接続されるケーブル端子の内周面に付着した錆や汚れを除去するためのバッテリ端子清浄具、並びにバッテリ装置の端子清浄装置に関する。
【背景技術】
【０００２】
例えば、各種車両や農機具、産業用機械に、エンジンの始動や、ランプをはじめとする種々の電気部品の作動に必要な電力を供給するためのバッテリが搭載されている。このバッテリには、箱形の電槽の上面から短尺円柱状のバッテリ端子（正極バッテリ端子および負極バッテリ端子）が突設されており、また、このバッテリ端子には環状のケーブル端子（正極ケーブル端子および負極ケーブル端子）が接続される。正極バッテリ端子および負極バッテリ端子は、共に、外周面が先細りテーパ状に形成されており、それに嵌合する正極ケーブル端子および負極ケーブル端子は、共に、それらに合致するように、内周面が同一テーパ状に形成されている。
【０００３】
こうしたバッテリ端子とケーブル端子とは、バッテリの電力を円滑に供給するために密密着して接続されていることが望ましい。しかし、通常、鉛製のバッテリ端子や黄銅製のケーブル端子には錆が発生し易く、また、汚れも付着し易い。従って、こうした錆や汚れを定期的に除去し、円滑な電力供給を確保することが求められる。
【０００４】
かかる観点から、従来、バッテリ端子やケーブル端子に付着した錆などはサンドペーパ、砥石、あるいはヤスリなどで除去していた。さらに近年では、こうした道具での除去が面倒であることから、専用の清浄具が提案されている（例えば、特許文献１参照）。また、バッテリ端子に錆が発生すること自体を抑制するための防錆装置も提案されている（例えば、特許文献２参照）。
【０００５】
特許文献１に記載された清浄具は、３つの突起部を３つ又状に設けて形成され、その内の２つの突起部のそれぞれに内径の異なるテーパ状の雌形部を形成すると共に、残りの突起部をテーパ状の雄形部とし、雌形部の内周面および雄形部の外周面をサンドペーパ、砥石あるいはヤスリに準じた形態の研磨面に形成している。そして、雌形部にバッテリ端子を嵌入して往復回動することによって錆などを除去するようにしている。また、雄形部にケーブル端子を嵌合して往復回動し、同様に、その内周面に付着している錆などを除去している。
【０００６】
なお、この従来技術において雌形部を二つ設け、それぞれの内径を異なるものとしたのは、バッテリの正極端子と負極端子とはその外径が異なるため、その両方に対応させるためである。本明細書において、バッテリとこれに接続されるバッテリケーブルとを含めて「バッテリ装置」と呼ぶものとする。
【０００７】
特許文献２に記載の防錆装置は、バッテリ端子に錆が発生するのを防止する手段を開示しているものの、一旦発生した錆および付着した汚れを除去するための手段は開示していない。
【特許文献１】実用新案登録第３０９６４０３号
【特許文献２】特許第２９９８１８４号
【発明の開示】
【発明が解決しようとする課題】
【０００８】
前記特許文献１に記載の清浄具は、それまでのサンドペーパなどで行う手段よりも容易かつ正確に錆などを除去することができるといった利点を有する。しかし、この清浄具は、その雌形部の内周面および雄形部の外周面を、サンドペーパ、砥石あるいはヤスリに準じた形態の研磨面としているので、短時間で目詰まりを起こすという問題がある。従って、研磨面に詰まった錆などを、ワイヤブラシなどの道具を使って頻繁に除去しなければならず、作業時間を含む作業性の点で、それまでのサンドペーパなどで行う手段と実質的な違いが見られなかった。
【０００９】
また、この清浄具は、その雌形部にバッテリ端子を嵌入させた状態で、また、その雄形部にケーブル端子を嵌合させた状態で、２〜６回程度、往復回動させる必要があり、錆などの除去に数十秒を要している。数十秒という時間は、例えば、交通量の激しい道路でエンジンがストップした際に、バッテリ端子の錆を除去する作業が必要な場合などでは、決して短い時間とはいえない。特に、この清浄具が目詰まりをきたしている場合は、まずその目詰まりを解消する必要があり、さらに長い時間を要してしまう。こうした観点から、目詰まりが発生せず、より短い作業時間で錆などを除去することのできる清浄具が求められている。
【００１０】
さらに、開示された清浄具では、雌形部を２つ設けて正極端子と負極端子の双方に対応することができるように構成されているものの、２種類のバッテリに対応できる構成とはなっていない。通常、各バッテリの正極端子の外径は、負極端子のそれより大きく設定されている。また、車輌等に搭載されるバッテリでは、大型、小型を対象として少なくとも２種類のバッテリが広く使用されている。従って、１種類のバッテリに対応するためには２つの雌形部が必要となり、２種類のバッテリに対応するためには、合計４つの雌形部を設ける必要がある。開示された清浄具は、１種類のバッテリにしか対応でない構成となっている。
【００１１】
以上より、本発明は上述した従来技術の問題を解消し、目詰まりを起こし難く、清浄のための作業時間が短くてすみ、かつ、２種類のバッテリにも対応することのできるバッテリ端子清浄具およびバッテリ装置の端子清浄装置を提供することを目的としている。
【課題を解決するための手段】
【００１２】
本発明は、バッテリ端子の外周面およびそれに接続されるケーブル端子の内周面に付着した錆や汚れを、研磨材ではなく刃物、カッタを用いて清浄するものとし、これにより目詰まりを起こすことなく、短時間で容易に除去を可能にし、かつ、外径の異なる正極端子と負極端子の双方に対応することができるものとして従来技術にある問題を解消するもので、具体的には、以下の内容を含む。
【００１３】
すなわち、本発明にかかる１つの態様は、バッテリ端子のテーパ状の外周面に付着した錆や汚れを除去するためのバッテリ端子清浄具であって、筒体の内周面に、前記バッテリ端子の外周面に摺接する複数の刃物を、刃先が軸方向に沿ってテーパ状になるよう設けて構成されたバッテリ端子清浄具に関する。
【００１４】
前記バッテリ端子清浄具は、少なくとも１種類のバッテリの正極端子と負極端子とにそれぞれ対応した内径を有する正極清浄部と負極清浄部とを一体的に形成することが好ましい。あるいは、２種類のバッテリの正極端子と負極端子とにそれぞれ対応した内径を有する２つの正極清浄部と２つの負極清浄部を一体的に十字状に形成してもよい。前記刃物は、前記筒体の周方向に間隙を設けて３枚〜６枚設けることが好ましい。
【００１５】
本発明にかかる他の態様は、バッテリ端子のテーパ状の外周面に付着した錆や汚れを除去するためのバッテリ端子清浄具と、前記バッテリ端子に嵌合するケーブル端子のテーパ状の内周面に付着した錆や汚れを除去するためのケーブル端子清浄具とを備えたバッテリ装置の端子清浄装置に関する。前記ケーブル端子の清浄具は、その中心軸の外周に、前記ケーブル端子の内周面に摺接する複数のカッタを、刃先が軸方向に沿ってテーパ状に設けて構成することができる。そして前記バッテリ端子清浄具は、上述したいずれか１のバッテリ端子清浄具で構成することができる。前記バッテリ端子清浄具とケーブル端子清浄具とは、両者の軸方向が直交するように一体的に、又は着脱自在に連結して構成することができる。着脱自在とする場合には、螺合又は嵌合のいずれかの方式を採用することができる。
【００１６】
前記ケーブル端子清浄具は、少なくとも１種類のバッテリの正極端子と負極端子とに対応した両ケーブル端子の内周面に摺接するに十分な軸方向長さを有することが好ましく、より好ましくは２種類のバッテリの正極端子と負極端子とに対応した両ケーブル端子の内周面に摺接するに十分な軸方向長さを有する。前記ケーブル端子清浄具の複数のカッタは、周方向に間隙を設けた３枚から６枚の螺旋状に形成されたカッタとすることが好ましい。
【発明の効果】
【００１７】
本発明の実施により、バッテリ端子清浄具によってバッテリ端子の外周面に付着した錆や汚れを短時間で容易に除去することができる。また、ケーブル端子清浄具によって、ケーブル端子の内周面に付着した錆などを短時間で容易に除去することができる。また、バッテリ端子清浄具は複数の刃物によって、ケーブル端子清浄具は複数のカッタによって錆や汚れを除去するので、目詰まりを起こすことがない、という効果を奏する。バッテリ端子清浄具とケーブル端子清浄具とは着脱可能に一体に形成することができる。
【発明を実施するための最良の形態】
【００１８】
以下、本発明に係るバッテリ装置１の端子清浄装置の実施の形態につき、図面を参照して説明する。図１は、本発明の実施の形態に係る端子清浄装置を示す。この端子清浄装置は、図１（ａ）に示すバッテリ端子清浄具１０と、図１（ｂ）に示すケーブル端子清浄具２０とで構成され、図７に示すようなバッテリ２と、それに連結されるケーブル４とで構成されるバッテリ装置１に対応すべく構成されている。この端子清浄装置によって、バッテリ端子３のテーパ状の外周面と、そのバッテリ端子３に嵌合するケーブル端子５の同一テーパ状の内周面に付着した錆や汚れを除去することができる。
【００１９】
バッテリ端子清浄具１０は、図１（ａ）、図２および図３に示すように、バッテリ端子３が挿入される筒体１１の内周面に、バッテリ端子３の外周面に摺接する４本の刃物１２を軸方向に沿ってテーパ状に設けて構成されている。本発明の実施の形態における筒体１１および刃物１２は鉄製であるが、これに限定されず、その他の金属（例えば、ステンレス）や硬質樹脂などの硬質材で形成することができる。
【００２０】
本発明の実施の形態に係るバッテリ端子清浄具１０は、２種類のバッテリ装置１に対応できるようにしている。すなわち、第１のバッテリ装置１の正極端子３ａに対応した内径を有する第１正極清浄部１３ａと、この正極端子３ａより小径の負極端子３ｂに対応した内径を有する第１負極清浄部１４ａとを備える。また、第２のバッテリ装置１の正極端子３ａに対応した内径を有する第２正極清浄部１３ｂと、正極端子３ａより小径の負極端子３ｂに対応した内径を有する第２負極清浄部１４ｂとを併せて備える。そして、これら第１正極清浄部１３ａ、第１負極清浄部１４ａ、第２正極清浄部１３ｂおよび第２負極清浄部１４ｂを、図示のように十字形状に一体的に形成している。
【００２１】
なお、本実施の形態では、バッテリ端子清浄具１０を４つの清浄部１３ａ、１４ａ、１３ｂ、１４ｂを設けて十字形状に構成しているが、本発明はこれに限定されず、例えば、２つのみを一文字形状に設けて１種類のバッテリ装置１に対応させることもできる。また、複数の清浄部を備えるバッテリ端子清浄具１０は、一体的に形成することなく、各清浄部をそれぞれ個別に形成することもできる。その場合、それらをワイヤなどの連結部材で連結しておくと、取扱いが容易となる。また、これにケーブル端子清浄具２０を共に連結しておくこともできる。
【００２２】
また、バッテリ端子清浄具１０の刃物１２は４本に限定されず、３枚〜６枚の範囲で、好ましくは５枚設けることができる。刃物１２の数を３枚以上設けることによって、その刃物１２がガイドの働きを担うので、バッテリ端子３をバッテリ端子清浄具１０の中心に配置させることができる。また、６枚以下とすることによって、刃物１２の間隔を適度に広くすることができ、これにより、刃物１２間に溜まった錆や汚れを簡単に除去することができるので、手入れが容易となる。ただし、刃物１２の数は、必要に応じて６枚よりも多くすることも可能である。図３に示す刃物１２では刃先が立っていないが、刃物１２自身を一定の厚み以下に抑えることにって十分に刃物としての機能を果たす。但し、必要に応じて刃先を立ててもよく、あるいは刃物１２間の内接円の接線に対して角度を設けるようにしてもよい。刃先を立てた場合には取り扱いに注意を要するほか、刃先が鈍ることもあるため、適度厚みの刃先としておくことが好ましい。
【００２３】
ケーブル端子清浄具２０は、図１（ｂ）および図４に記載のように、環状のケーブル端子５に挿入される中心軸２１（本発明の実施の形態では仮想中心線および後述する軸棒２４と案内部２５）を中心として、ケーブル端子５（図５、図７に表示）の内周面に摺接する４枚のカッタ２２を、軸方向に沿ってテーパ状に設けて構成されている。このカッタ２２の枚数も、３枚〜６枚に設定することで、ケーブル端子５の中心に配置することができ、また、これにより、カッタ２２間に溜まった錆や汚れを簡単に除去することができるので、手入れが容易となる。カッタ２２の数は、必要に応じて６枚以上とすることが可能である。なお、中心軸２１の全長を棒状の有体物とし、その外周面にカッタ２２を形成することもできる。
【００２４】
このケーブル端子清浄具２０は、カッタ２２の基端部に軸棒２４を設けると共に、末端部に円柱状の案内部２５を設け、カッタ２２を含む全体を鉄製としている。軸棒２４は、主として複数のカッタ２２を一体的にまとめて支持する役目を担い、案内部２５は、主としてケーブル端子５に挿入する際のガイドとして機能する。なお、ケーブル端子清浄具２０は、鉄に代えて、他の硬質材料（例えば、ステンレス、硬質樹脂）で形成することもできる。
【００２５】
また、本実施の形態におけるカッタ２２は、全て同一形態の螺旋状に形成している。こうすることによって、図５に示すように、ケーブル端子５の間隙部６にカッタ２２が引っ掛かるのを防止することができる（同図の符号７はボルトを示し、８はナットを示す）。ちなみに、カッタ２２をリーマのように軸方向に直線状に形成すると、当該カッタ２２が間隙部６に引っ掛かってしまい、円滑に回動させることができない。ただし、これはカッタ２２の数が少ない場合であって、４枚以上であれば、引っ掛かりも少なく、従って、直線状に形成しても良い。
【００２６】
さらに、本実施の形態にかかるケーブル端子清浄具２０のカッタ２２は刃先が軸方向にテーパとなり、第１のバッテリ装置１におけるプラス端子５ａとマイナス端子５ｂ（図７参照）、および第２のバッテリ装置１におけるプラス端子５ａとマイナス端子５ｂの全ての内周面に当接する長さを備えている。従って、１つのケーブル端子清浄具２０で合計四つのケーブル端子５に対応することができる。カッタ２２の刃先の立て具合に関しては、先のバッテリ端子清浄具１０の刃物１２と同様に扱うことができる。
【００２７】
また、本発明の実施の形態では、図１、図６に示すように、バッテリ端子清浄具１０の平面中心部に第１連結部１５を設けると共に、ケーブル端子清浄具２０の基端部に第２連結部２３を設け、これら第１連結部１５と第２連結部２３を着脱自在に連結して、ケーブル端子清浄具２０をバッテリ端子清浄具１０から起立（垂下）できるよう形成されている。この場合、バッテリ端子洗浄具１０の軸とケーブル端子清浄具１０の軸とは直交する関係となる。これにより、ケーブル端子清浄具２０を使用する際にバッテリ端子清浄具１０をハンドルとして利用することができる。ケーブル端子清浄具２０は略棒状であり、回動操作を行い難い形状であるが、バッテリ端子清浄具１０をハンドルとして利用することによって、容易に回動させることができる。
【００２８】
なお、本実施の形態では第１連結部１５を雌ネジで構成し、第２連結部２３を雄ネジで構成しているが、本発明はこれに限定されず、その逆であっても良いし、また、例えば、第１連結部１５を平面矩形状の凹部とし、第２連結部２３をそれに嵌合する凸部とし、両者を着脱自在に結合させることもできる。さらに、第１連結部１５はバッテリ端子清浄具１０から突出させず、埋設させることもできる。あるいは、バッテリ端子清浄具１０とケーブル端子清浄具２０とを着脱可能とせず、個別の清浄具とし、あるいは一体となった清浄装置としてもよい。
【００２９】
本発明の実施の形態に係るバッテリ装置の端子清浄装置の使用時の動作は、以下のようである。まず、図７に示すように、バッテリ端子３からケーブル端子５を外す。次に、図８に示すように、対応するバッテリ端子清浄具１０をバッテリ端子３に嵌め込み、周方向に回動させる。これにより、４本の刃物１２がバッテリ端子３の外周面に付着している錆や汚れを除去する。この作業を、正極清浄部１３と負極清浄部１４とによって、正極端子３ａおよび負極端子３ｂの双方に対して行う。
【００３０】
図示の例では、バッテリ清浄部は４本の刃物１２を備えているので、周方向への回動は最小１／４回転で良いものとなる。これによって、バッテリ端子３の外周面全域から錆などを除去することができる。但し、必要に応じて例えば１回転、あるいはそれ以上させてもよいが、いずれにせよこれまで数十秒を要していた前記従来技術と比較して、僅か１秒内外のきわめて短時間で作業を終えることができるようになる。
【００３１】
また、図示の例では、バッテリ清浄部の刃物１２は４本であるため、各刃物１２と刃物１２との間に十分に大きな空間を形成することができる。従って、この空間に錆などが溜まって目詰まりを起こすことがない。
【００３２】
一方、ケーブル端子５側では、図９に示すように、ケーブル端子清浄具２０を、環状のケーブル端子５にカッタ２２がその内周面に当接するまで挿入する。続いて、ケーブル端子清浄具２０を回動させることによって、カッタ２２でケーブル端子５の内周面に付着している錆や汚れを除去する。この作業を、必要に応じて、プラス端子５ａとマイナス端子５ｂの双方に施す。
【００３３】
図示の例では、ケーブル端子清浄具２０は４枚のカッタ２２を備えているので、最小１／４回転の回動で錆などを除去することができる。必要に応じてそれ以上回転させてもようが、いずれにせよ僅か１秒内外のきわめて短時間での作業が可能である。また、４枚のカッタ２２の間には十分に大きな空間が形成されているので、溜まった錆などを容易に除去することができ、手入れが容易である。
【００３４】
上述した作業を行うことによって、バッテリ端子３の外周面とケーブル端子５の内周面の双方に付着している錆や汚れを短時間で容易に除去することができる。また、刃物およびカッタ２２を使用するので、錆などを削るようにして除去することができる。従って、サンドペーパなどに準じた形態の研磨面で錆などを擦り落とす従来の清浄具と異なり、微細な粉末を飛散させない。バッテリ端子は有害とされる鉛で形成されており、その微細粉末を吸い込むことが健康を害する原因となり得るが、本発明に係るバッテリ端子清浄具１０は鉛の微細粉末を飛散させず、切り屑となって回収されるのでそうした懸念がない。ケーブル端子清浄具２０も同様である。
【００３５】
なお、バッテリ端子清浄具１０の刃物１２は、その長さをバッテリ端子３の長さより十分に大きく設定しておくことが好ましい。こうすることで、先端部分における刃物１２が摩耗した場合、その先端部分をグラインダなどで筒体１１と共に削り取ることにより、奥側部分の刃物１２（テーパ状であるため先端部分より小径）をバッテリ端子３の外周面に摺接させることができる。
【００３６】
また、バッテリ端子清浄具１０の刃物１２は、当該刃物１２を筒体１１と別体成形した後、筒体１１に取付けることができる。また、筒体１１の内部を加工して、当該筒体１１の一部を刃物１２とすることもできる。同様に、ケーブル端子清浄具２０のカッタ２２は、複数の板状の刃物１２をそれぞれ螺旋状に形成し、それらを組み合わせて結合することによって形成することができる。また、棒状物の外周面に加工を施してカッタ２２を形成することもできる。なお、刃物１２およびカッタ２２は、図示の例ではいずれも矩形状であるが、こうした形状に限定されるものではなく、バッテリ端子３の外周面およびケーブル端子５の内周面に付着している錆や汚れを効果的に除去でき、かつ当該外周面および内周面を損傷しないような他の形状（例えば、刃先を頂点とする三角形状）に形成することもできる。
【産業上の利用可能性】
【００３７】
本発明は、各種バッテリと、それに接続されるケーブルとで構成されるバッテリ装置を使用する産業分野において広く利用することができる。
【図面の簡単な説明】
【００３８】
【図１】本発明に係るバッテリ装置の端子清浄装置の実施の形態を示すもので、（ａ）はバッテリ端子清浄具を示す正面図、（ｂ）はケーブル端子清浄具を示す正面図である。
【図２】図１（ａ）に示すバッテリ端子清浄具の内部構造を示す要部断面正面図である。
【図３】本発明の実施の形態におけるバッテリ端子清浄具を示すもので、（ａ）は図１のＡ−Ａ線断面図、（ｂ）はＢ−Ｂ線断面図である。
【図４】本発明の実施の形態におけるケーブル端子清浄具を示すもので、図１のＣ−Ｃ線断面図である。
【図５】本発明の実施の形態におけるケーブル端子清浄具によって、ケーブル端子の内周面に付着した錆などを除去している状態を示す部分断面平面図である。
【図６】本発明の実施の形態おけるバッテリ端子清浄具とケーブル端子清浄具とを組付ける状態を示す説明図である。
【図７】バッテリ装置を示す正面図である。
【図８】本発明の実施の形態におけるバッテリ端子清浄具によって、バッテリ端子の外周面に付着した錆などを除去している状態を示す要部断面正面図である。
【図９】本発明の実施の形態におけるケーブル端子清浄具によって、ケーブル端子の内周面に付着した錆などを除去している状態を示す説明図である。
【符号の説明】
【００３９】
１．バッテリ装置、  ２．バッテリ、  ３．バッテリ端子、  ３ａ．正極端子、  ３ｂ．負極端子、  ４．ケーブル、  ５．ケーブル端子、  ５ａ．プラス端子、  ５ｂ．マイナス端子、  １０．バッテリ端子清浄具、  １１．筒体、  １２．刃物、  １３．正極清浄部、  １３ａ．第１正極清浄部、  １３ｂ．第２正極清浄部、  １４．負極清浄部、  １４ａ．第１負極清浄部、  １４ｂ．第２負極清浄部、  １５．第１連結部、  ２０．ケーブル端子清浄具、  ２２．カッタ、  ２３．第２連結部、  ２４．軸棒、  ２５．案内部。
【図１】
2010005538.tif 000003
【図２】
2010005538.tif 000004
【図３】
2010005538.tif 000005
【図４】
2010005538.tif 000006
【図５】
2010005538.tif 000007
【図６】
2010005538.tif 000008
【図７】
2010005538.tif 000009
【図８】
2010005538.tif 000010
【図９】
2010005538.tif 000011